(57)【要約】【課題】スプレーパイプから噴出して、感光材料の表面に処理液を供給するときに、処理液が発泡するのを抑える。【解決手段】水洗部に設けているスプレーパイプ６２には、所定間隔で吐出孔９８が形成されており、ＰＳ版１２の搬送路の上方側に配置しているスプレーパイプ６２Ａは、この吐出孔が搬送ローラ対５８のゴムローラ５８Ａの周面所定位置である点ＰＸへ向けられている。また、この吐出孔は、水洗水の噴出圧を下げるように内径が広げられており、これにより、スプレーパイプの吐出孔から噴出した水洗水が、ＰＳ版の表面に達する時の勢いを減衰させて、水洗水が発泡してしまうのを確実に抑えるようにしている。【選択図】        図５
2004294710.tif 000002
【特許請求の範囲】
【請求項１】
処理槽に貯留している処理液の液面上方に対で配置したローラによって感光材料を挟持しながら搬送し、前記処理槽に貯留している処理液を前記感光材料の表面へ供給して処理する処理工程を備えた感光材料処理装置であって、
軸線方向が前記ローラの軸線方向に沿って配置されると共に軸方向に沿って所定間隔で吐出孔が形成され、前記処理槽内の処理液が供給されることにより、該処理液を前記吐出孔のそれぞれから噴出して前記感光材料の表面へ供給するスプレーパイプを備えているときに、
前記スプレーパイプを、前記吐出孔のそれぞれが、前記感光材料の搬送路に対して同一側のローラの周面で、該ローラの軸心よりも搬送路側の位置に向けて設け、前記感光材料へ供給する前記処理液を前記ローラの周面へ向けて噴出するようにしていることを特徴とする感光材料処理装置。
【請求項２】
前記スプレーパイプに供給される前記処理液の供給量に応じて、前記処理液の噴出圧を下げるように形成されていることを特徴とする請求項１に記載の感光材料処理装置。
【請求項３】
前記スプレーパイプの一つの吐出孔から前記ローラの周面へ向けて噴出する前記処理液の噴出速度を、１０００ｍｍ／ｓｅｃ以上、２０００ｍｍ／ｓｅｃ以下とすることを特徴とする請求項１又は請求項２に記載の感光材料処理装置。
【請求項４】
前記処理槽内の処理液の液面と前記感光材料の搬送路の間に、所定角度で傾斜して設けられ、前記感光材料から落下する処理液を受けとめて、前記処理槽内に流し落とす遮板を設けていることを特徴とする請求項１から請求項３の何れか１項記載の感光材料処理装置。
【発明の詳細な説明】
【０００１】
【発明の属する技術分野】
本発明は、感光性平版印刷版などの感光材料を、液外のローラ対によって挟持して搬送しながら、感光材料の表面へ処理液を噴き付けて処理する感光材料処理装置に関する。
【０００２】
【従来の技術】
感光材料には、アルミニウム板等を用いた支持体の表面に感光層を形成した感光性平版印刷版（以下「ＰＳ版」と言う）がある。このＰＳ版を現像処理する現像処理装置（以下「ＰＳ版プロセッサー」と言う）では、ＰＳ版を現像液に浸漬することにより、露光画像に応じて不要な感光層を膨潤させて除去し、水洗水を噴き付けることにより、水洗水と共に表裏面に付着した現像液を絞り落とした後に、版面保護のための不感脂化処理を施す。
【０００３】
このような水洗槽内には、ＰＳ版によって現像液が持ち込まれるが、この現像液中には、界面活性剤が含まれており、長期に亘って現像処理を行うことにより、水洗槽内の水洗水に発泡が生じ易くなる。
【０００４】
ところで、空気中には、通常でも５００ｐｐｍ程度の炭酸ガス（ＣＯ２）が含まれており、ＰＳ版の処理環境下では、暖房器具の使用状態、換気性、作業員の数等によって、この炭酸ガスが２０００ｐｐｍを越えてしまうこともある。
【０００５】
一方、水洗水内に溶け込んでいる現像液成分は、空気中の炭酸ガスと接触することにより固形化する。このために、発泡によって生じた泡の中の炭酸ガスによって、現像液成分が泡の表面で固形化して現像成分のカスが発生してしまう。
【０００６】
このような水洗水中のカスがＰＳ版の表面に付着してしまうと、印刷汚れ等を生じさせてしまう。
【０００７】
水洗槽内に生じる水洗水の泡は、ＰＳ版から絞り落とした水洗水が落下して、水洗槽内に貯留している水洗水の液面を叩いてしまうことから発生しやすく、このために、水洗槽の上部に整流板を配置して、ＰＳ版から絞り落とした水洗水を、この整流板の表面に沿って流し落とすことにより、ＰＳ版から落下した水洗水が、水洗槽内の水洗水の液面を直接叩いてしまうことによる発泡を抑える提案がなされている（例えば特許文献１参照。）。
【０００８】
【特許文献１】
特開２００２−２３３８４号公報
【０００９】
【発明が解決しようとする課題】
しかしながら、ＰＳ版プロセッサーでは、２対のローラ対の間に、スプレーパイプを配置し、このスプレーパイプに所定間隔で形成している吐出孔から、ＰＳ版の表面へ水洗水を噴き付けるようにしている。このために、スプレーパイプから吹出された水洗水が、ＰＳ版の表面及びＰＳ版の表面に溜まっている水洗水に衝突するときに、発泡が生じてしまうことがある。特に、ＰＳ版の表面に溜まってＰＳ版の表面を覆っている水洗水にスプレーパイプから吹出された水洗水が当たるときに発泡が著しく生じてしまうことがある。
【００１０】
このような泡は、水洗槽内に回収されたときも消滅せずに残り、ＰＳ版の処理を継続することにより徐々に成長して、水洗水中のカスを成長した泡によって上昇させて、処理しているＰＳ版に付着させてしまうことがある。これにより、処理されたＰＳ版を使用して印刷処理を行ったときに、印刷汚れを生じさせてしまう。
【００１１】
本発明は上記事実に鑑みてなされたものであり、スプレーパイプから水洗水等の処理液を吐出した後に、この処理液をローラ対によって絞り落とすときに、処理槽内の処理液の液面に泡立ちを生じさせてしまうのを防止した感光材料処理装置を提案することを目的とする。
【００１２】
【課題を解決するための手段】
上記目的を達成するために本発明は、処理槽に貯留している処理液の液面上方に対で配置したローラによって感光材料を挟持しながら搬送し、前記処理槽に貯留している処理液を前記感光材料の表面へ供給して処理する処理工程を備えた感光材料処理装置であって、軸線方向が前記ローラの軸線方向に沿って配置されると共に軸方向に沿って所定間隔で吐出孔が形成され、前記処理槽内の処理液が供給されることにより、該処理液を前記吐出孔のそれぞれから噴出して前記感光材料の表面へ供給するスプレーパイプを備えているときに、前記スプレーパイプを、前記吐出孔のそれぞれが、前記感光材料の搬送路に対して同一側のローラの周面で、該ローラの軸心よりも搬送路側の位置に向けて設け、前記感光材料へ供給する前記処理液を前記ローラの周面へ向けて噴出するようにしていることを特徴とする。
【００１３】
この発明によれば、スプレーパイプの吐出孔から噴出する処理液を、感光材料の表面及び感光材料の表面に溜まって感光材料の表面を覆っている処理液ではなく、ローラの周面へ向けて噴出させ、このローラの周面に衝突させて勢いを減衰させた処理液が感光材料の表面へ供給されるようにする。
【００１４】
すなわち、処理液をローラの周面へ向けて噴出すことにより、この処理液が感光材料の表面及び感光材料の表面に溜まっている処理液に衝突するときのエネルギーを抑え、かつ、スプレーパイプから噴出する処理液で、感光材料の表面に溜まっている処理液たたいて、感光材料の表面に溜まっている処理液に空気を巻き込んでしまうのを軽減する。
【００１５】
これにより、例えば、水洗水を感光材料である平版印刷板（ＰＳ版）の表面へ、直接噴き付けていたときに比べて、泡の発生を抑えることができる。
【００１６】
また、請求項２に係る発明では、前記スプレーパイプに供給される前記処理液の供給量に応じて、前記処理液の噴出圧を下げるように形成されていることを特徴とする。
【００１７】
この発明によれば、例えば、処理液の噴出圧にばらつき等が生じない範囲で、吐出孔を大きくすることにより、個々の吐出孔から噴出する処理液の噴出圧を下げる。
【００１８】
これにより、感光材料の表面に供給する処理液に泡立ちが生じてしまうのをより確実に抑えることができる。
【００１９】
このような本発明では、ローラに噴き付けた処理液を、確実に感光材料の表面へ供給するためには、感光材料の搬送方向に対するスプレーパイプの吐出孔の向きを大きくすることが好ましいが、大きくしすぎた場合、スプレーパイプから噴出する処理液が感光材料の表面に溜まった処理液に当たってしまう。このために、この角度を、１０°以上、２５°以下とすることがより好ましい。
【００２０】
このような本発明では、前記スプレーパイプの一つの吐出孔から前記ローラの周面へ向けて噴出する前記処理液の噴出速度を、１０００ｍｍ／ｓｅｃ以上、２０００ｍｍ／ｓｅｃ以下とすることができる。
【００２１】
また、請求項４に係る発明は、前記処理槽内の処理液の液面と前記感光材料の搬送路の間に、所定角度で傾斜して設けられ、前記感光材料から落下する処理液を受けとめて、前記処理槽内に流し落とす遮板を設けていることを特徴とする。
【００２２】
この発明によれば、処理槽内に貯留している処理液の液面の上方に遮板を設け、感光材料から落下する処理液を遮板で受け止め、その後、処理槽内に流し落とすことにより、感光材料から処理槽内の処理液へ直接落下する処理液によって泡立ったり、泡が成長してしまうのを防止する。
【００２３】
【発明の実施の形態】
以下、図面を参照して本発明の実施の形態を説明する。図１には、感光材料処置装置の一例として適用した印刷版現像装置（以下「ＰＳ版プロセッサー１０」と言う）の概略構成を示している。このＰＳ版プロセッサー１０は、感光材料として図示しない露光装置によって画像露光された感光材料の一種である感光性平版印刷版（以下「ＰＳ版１２」と言う）の現像処理を行う。
【００２４】
なお、ＰＳ版１２は、アルミニウム板等の薄肉矩形平板を支持体として、この支持体の表面に感光層を形成したものである。このようなＰＳ版１２としては、原稿フィルムを密着させて露光（密着露光）する所謂コンベンショナル版であっても良く、また、サーマル版や、感光層として光重合層が形成されたフォトポリマー版などのように光ビームを照射して露光（デジタル露光）を行うものであってもよい。さらに、このＰＳ版としては、ポジタイプであっても良く、ネガタイプであっても良いし、片面、両面タイプのいずれであってもよい。
【００２５】
ＰＳ版プロセッサー１０は、ＰＳ版１２を現像液によって処理するための現像部１４と、現像液によって処理されたＰＳ版１２の水洗水を供給して水洗する水洗部１６と、水洗後のＰＳ版１２にガム液を塗布して不感脂化処理する不感脂化処理部１８と、ＰＳ版１２を乾燥させる乾燥部２０と、が配設されている。
【００２６】
ＰＳ版プロセッサー１０内には、処理タンク２２が設けられている。この処理タンク２２には、現像部１４となる位置に現像槽２４が形成され、水洗部１６及び不感脂化処理部１８となる位置に水洗槽２６及び不感脂化処理槽２８が形成されている。
【００２７】
処理タンク２２を覆う外板パネル３０には、スリット状の挿入口３２が形成され、処理タンク２２には、乾燥部２０側に排出口３４が形成されている。また、処理タンク２２を覆うカバー３６には、現像部１４と水洗部１６との間にＰＳ版１２を挿入するためのリエントリー用の挿入口（副挿入口）３８が設けられている。そのリエントリー挿入口３８は、現像部１４での処理を除くＰＳ版プロセッサー１０での処理を行うためのＰＳ版１２の挿入口となっている。
【００２８】
挿入口３２の外部には、例えば挿入台４０が設けられ、現像部１４のＰＳ版１２の挿入側には、ゴム製の搬送ローラ対４２が配設されている。画像が焼付けられたＰＳ版１２は、挿入台４０に載置されて挿入口３２から、矢印Ａ方向に沿って挿入されて、搬送ローラ対４２の間に送り込まれる。なお、この矢印Ａ方向がＰＳ版プロセッサー１０でのＰＳ版１２の搬送方向となっている。
【００２９】
搬送ローラ対４２は、図示しない駆動手段の駆動力によって回転して、挿入されたＰＳ版１２を引き入れ、水平方向に対して約１５°から３１°の範囲の角度で現像部１４へ送り込む。なお、本実施の形態では、支持体の一方の面に感光層を形成した片面タイプのＰＳ版１２を用いており、ＰＳ版１２は、感光層が上方へ向けられた状態で挿入口３２からＰＳ版プロセッサー１０内へ挿入される。
【００３０】
処理タンク２２に形成されている現像槽２４は、底部中央が下方へ向けて突出された略山形状となっており、ＰＳ版１２の現像処理を行うための現像液を貯留する。この現像槽２４には、ＰＳ版１２の搬送方向に沿った下側にガイド板４４が、底部に沿って配設されている。
【００３１】
ガイド板４４は、現像槽２４の上流部（挿入口３２側）に設けられ、自由回転をする複数のコロ（小型のローラ）４６が取り付けられている。搬送ローラ対４２によって現像部１４内に送り込まれたＰＳ版１２は、このコロ４６によって案内されながらガイド板４４上を搬送される。
【００３２】
現像槽２４には、水洗部１６側に、外周がゴム製の搬送ローラ対４８が配置されており、現像槽２４内を略Ｕ字状に案内搬送されたＰＳ版１２は、この搬送ローラ対４８によって挟持されて現像槽２４から引き出される。ＰＳ版１２は、このようにして現像槽２４内を搬送されるときに現像液に浸漬される。
【００３３】
これによりＰＳ版１２は、画像露光によって感光した感光層の不要な部分が現像液により膨潤して支持体から剥離することにより除去される。
【００３４】
なお、現像槽２４内には、スプレーパイプ５０が設けられており、図示しないポンプによって吸引した現像槽２４内の現像液を循環させている。
【００３５】
また、現像槽２４内には、ガイド板４４と搬送ローラ対４８の間に、ブラシローラ８０が設けられている。このブラシローラ８０は、現像液に浸漬されながら搬送されるＰＳ版１２の表面に毛材を接触させながら回転することにより、ＰＳ版１２の表面をブラッシングして、ＰＳ版１２の表面からの不要な感光層の除去を促進している。
【００３６】
現像部１４には、下面が現像槽２４に貯留される現像液の液面より下方となるように液面蓋５２が配置されている。また、現像槽２４の壁面及び液面蓋５２には、挿入口３２側に遮蔽部材５４Ａ、５４Ｂが設けられ、水洗部２４側に遮蔽部材５４Ｃ、５４Ｄが取り付けられている。処理タンク２２には、排出口３４の周囲に遮蔽部材５４Ｅ、５４Ｆが取り付けられ、カバー３６のリエントリー挿入口３８には、遮蔽部材５４Ｇが取り付けられている。
【００３７】
遮蔽部材５４Ａ〜５４Ｇは、シリコンゴム等によって形成されており、現像槽２４内は、大容量の液面蓋５２によって液面に接触する遮蔽部材５４Ａ〜５４Ｇ、搬送ローラ対４２、４８等によって形成された密閉部内の空間が小さくされて、この空間に閉じ込められた空気の量を少なくすると共に、液面蓋５２と遮蔽部材５４Ａ〜５４Ｇ等によって現像液の液面近傍に新鮮な空気が入り込んでくるのが防止され、空気中の炭酸ガスによる現像液の劣化と水分の蒸発が抑えられている。なお、液面蓋５２には、ＰＳ版１２の搬送方向の上流側及び下流側の端部下面に串ローラ５２Ａ、５２Ｂが設けられ、現像部１４内を搬送されるＰＳ版１２が液面蓋５２の下面と接触することによる表面（主に感光面）の損傷が防止されている。
【００３８】
搬送ローラ対４８によって現像槽２４から引き出されたＰＳ版１２は、搬送ローラ対４８によって表面に付着している現像液が絞り落とされながら水洗部１６へ送り込まれる。
【００３９】
水洗部１６には、水洗槽２６の上方に搬送ローラ対５８、６０が配置されており、これにより、ＰＳ版１２を略水平状態で搬送する搬送路が形成されている。ＰＳ版１２は、搬送ローラ対５８、６０に挟持されて水洗槽２６の上方を水平搬送される。
【００４０】
水洗部１６には、搬送ローラ対５８、６０の間に、スプレーパイプ６２が設けられている。スプレーパイプ６２は、ＰＳ版１２の搬送路を挟んで上下に対で配置されている（以下、区別するときには、スプレーパイプ６２Ａ、６２Ｂとする）。
【００４１】
水洗槽２６には、処理液として水洗水を貯留している。また、水洗槽２６の底部には、配管８２の一端が開口している。この配管８２は、図示しない給液ポンプを介してスプレーパイプ６２に接続しており（図示省略）、これにより、ＰＳ版１２の搬送に同期して給液ポンプが作動することにより、スプレーパイプ６２に水洗槽２６内の水洗水が供給される。
【００４２】
スプレーパイプ６２は、軸線方向がＰＳ版１２の幅方向（搬送方向と直交する方向）に沿って配置され、ＰＳ版１２の搬送路に対向して複数の吐出孔が形成されている。なお、このスプレーパイプ６２の詳細は後述する。
【００４３】
これにより、スプレーパイプ６２は、水洗槽２６から供給された水洗水を吐出孔から噴出する。水洗部１６では、この水洗水によってＰＳ版１２の表裏面に付着している現像液を洗い流す。
【００４４】
また、水洗部１６に設けている搬送ローラ対５８、６０は、ゴム製であり、ＰＳ版１２を挟持して搬送することにより、ＰＳ版１２の表裏面から、水洗水を絞り落とす。
【００４５】
搬送ローラ対５８、６０によってＰＳ版１２の表裏面から絞り落とされた水洗水は、水洗槽２６内に回収される。なお、水洗水の新液は、ＰＳ版１２の処理量に応じて図示しない手段によって水洗槽２６に供給される。
【００４６】
不感脂化処理部１８には、不感脂化処理槽２８の上方に搬送ローラ対５６が設けられ、ＰＳ版１２は、この搬送ローラ対５６によって不感脂化処理部１８内を搬送された後に、排出口３４から送り出される。
【００４７】
不感脂化処理部１８には、ＰＳ版１２の搬送路の上方側にスプレーパイプ６４が設けられている。スプレーパイプ６４は、軸線方向がＰＳ版１２の幅方向に沿って配置され、ＰＳ版１２の搬送路に対向して複数の吐出孔が形成されている。また、不感脂化処理部１８には、ＰＳ版１２の搬送路の下方に、ＰＳ版１２の幅方向に亘って連続するスリットが形成された吐出ユニット６６が配設されている。
【００４８】
不感脂化処理槽２８には、ＰＳ版１２の版面保護に用いるガム液が貯留されており、このガム液がＰＳ版１２の搬送に同期して作動する図示しないポンプによってスプレーパイプ６４及び吐出ユニット６６に供給される。スプレーパイプ６４は、このガム液をＰＳ版１２へ向けて滴下してＰＳ版１２の表面に広げて塗布する。また、吐出ユニット６６は、ＰＳ版１２の裏面側がスリット部分に接触しながら通過するときに、スリットから吐出するガム液をＰＳ版１２の裏面側の全面に塗布する。
【００４９】
ＰＳ版１２は、表裏面に塗布されるガム液によって保護膜が形成される。なお、スプレーパイプ６４からのガム液の吐出方向は、ＰＳ版１２の搬送方向下流側に限らず、他の方向であってもよい。また、ＰＳ版１２の搬送路の下側に吐出ユニット６６を設けてガム液を塗布するようにしているが、これに限らず、スプレーパイプを設けてガム液をＰＳ版１２へ吐出するようにしてもよい。
【００５０】
不感脂化処理部１８でガム液が塗布されたＰＳ版１２は、搬送ローラ対５６に挟持されて、表裏面にガム液が若干残った状態で排出口３４から送り出される。これにより、ＰＳ版１２は、乾燥部２０へ送り込まれる。
【００５１】
乾燥部２０には、排出口３４の近傍にＰＳ版１２を支持する支持ローラ６８が配設され、乾燥部２０内でのＰＳ版１２の搬送路の中央部及び排出口７０の近傍に、搬送ローラ対７２及び搬送ローラ対７４が配設され、ＰＳ版１２は、支持ローラ６８及び搬送ローラ対７２、７４によって乾燥部２０内を搬送される。
【００５２】
支持ローラ６８と搬送ローラ対７２との間、及び搬送ローラ対７２と搬送ローラ対７４との間には、ＰＳ版１２の搬送路を挟んで対でダクト７６Ａ、７６Ｂが配設されている。ダクト７６Ａ、７６Ｂは、長手方向がＰＳ版１２の幅方向に沿って配設されており、ＰＳ版１２の搬送路に対向する面にスリット孔７８が設けられている。
【００５３】
ダクト７６Ａ、７６Ｂは、図示しない乾燥風発生手段によって発生された乾燥風が、長手方向の一端側から供給されると、この乾燥風をスリット孔７８からＰＳ版１２の搬送路へ向けて吹き出し、ＰＳ版１２に吹き付ける。これにより、ＰＳ版１２は、表裏面に塗布されているガム液が乾燥され、保護膜が形成される。なお、排出口３４には、ＰＳ版１２を処理液によって処理する不感脂化処理部１８までのプロセッサ部と乾燥部２０とを分離する図示しないシャッタが設けられ、排出口３４が不必要に開放されて、乾燥部２０内の加熱された空気が不感脂化処理部１８へ入り込むのを防止している。
【００５４】
ところで、図１乃至図３に示すように、水洗部１６には、整流手段として遮板９０が設けられている。遮板９０は、水洗槽２６内の水洗水の液面と、ＰＳ版１２の搬送路の間に配置されている。
【００５５】
図３に示すように、遮板９０は、帯板状に形成されており、長手方向が、ＰＳ版１２の搬送方向と直交する方向であるＰＳ版１２の幅方向に沿うように配置されている。この遮板９０の長手方向に沿った寸法は、ＰＳ版プロセッサー１０で処理するＰＳ版１２（図３では図示省略）の幅寸法より大きくなっており、ＰＳ版１２の幅方向に沿った水洗槽２６の開口寸法と略同じになっている（図示省略）。なお、図３では、ＰＳ版１２の幅方向に沿った水洗槽２６の要部を切り出した概略断面図であり、紙面手前側が現像部１４側で紙面奥側が不感脂化処理部１８側としている。
【００５６】
また、図２及び図３に示すように、水洗槽２６は、現像部１４側の槽壁９２Ａよりも不感脂化処理部１８側の槽壁９２Ｂが低くなっており、水洗部１６と不感脂化処理部１８の間の隔壁９４から、槽壁９２Ｂの上端の間に、水洗槽２６（槽壁９２Ｂ）側が低くなるように傾斜した傾斜部９６が形成されている。
【００５７】
遮板９０は、槽壁９２Ａの上端部と傾斜部９６の下端部に、傾斜部９６側が低くなるように傾斜された状態で掛け渡されている。
【００５８】
これにより、搬送ローラ対５８、６０によってＰＳ版１２の表裏面から絞り落とされた水洗水は、水洗槽２６内の水洗水の液面に落下せずに、遮板９０上に落下するようになっている。また、この水洗水は、遮板９０の傾斜に沿って傾斜部９６側へ流れるようになっている。
【００５９】
この遮板９０には、傾斜部９６側の端部に、所定間隔で複数の突部９０Ａが延設されており、これらの突部９０Ａが、傾斜部９６の上面に当接していることにより、遮板９０と傾斜部９６との間に、隙間が形成されている。これにより、遮板９０上を傾斜部９６側に流れた水洗水が、この隙間から槽壁９２Ｂの内面を伝って水洗槽２６内に流れ落ちて回収されるようになっている。
【００６０】
水洗槽２６には、槽壁９２Ａの上端部に、所定間隔で突起９２Ｃが形成されており、遮板９０には、この突起９２Ｃに対応する位置に、貫通孔９０Ｂが形成されており、遮板９０は、貫通孔９０Ｂに突起９２Ｃが挿入されることにより、水洗槽２６に位置決めされて取り付けられている。
【００６１】
また、遮板９０は、突部９０Ａと反対側の端部が現像部１４側へ延設されており、これにより、ＰＳ版１２から落下する水洗水を、遮板９０によって確実に受けとめるようにしている。
【００６２】
ＰＳ版プロセッサー１０では、このような遮板９０を設け、ＰＳ版１２を洗浄して落下する水洗水を遮板９０で受けとめて、水洗槽２６へ流し落とすことにより、ＰＳ版１２から落下した水洗水が、水洗槽２６内に貯留されている水洗水の液面を叩いて発泡してしまうのを防止している。
【００６３】
一方、前記したように水洗部１６には、搬送ローラ対５８、６０の間にスプレーパイプ６２が配置されている。図２及び図４に示すように、搬送ローラ対５８は、上方側のゴムローラ５８Ａと下方側のゴムローラ５８Ｂによって形成され、搬送ローラ対６０は、上方側のゴムローラ６０Ａと下方側のゴムローラ６０Ｂによって形成されて、スクイズローラとして機能している。なお、図２に示すように、ローラ５８Ａに対向してバックアップローラ８４を設け、水洗水が現像部１４側に回り込むのを防止している（図１では図示省略）。
【００６４】
図４に示すように、スプレーパイプ６２には、多数の吐出孔９８が形成されている。吐出孔９８は、スプレーパイプ６２の内部と外周部を連通しており、スプレーパイプ６２の軸線方向に沿って直線状となるように所定間隔（間隔ｄ）で形成されている。
【００６５】
図２及び図４に示すように、ＰＳ版１２の搬送路の上方側に設けているスプレーパイプ６２Ａは、吐出孔９８が搬送ローラ対５８のゴムローラ５８Ａ側へ向けられており、ＰＳ版１２の搬送路の下方側に設けているスプレーパイプ６２Ｂは、吐出孔９８が搬送ローラ対６０のゴムローラ６０Ｂ側へ向けられている。
【００６６】
これにより、スプレーパイプ６２Ａから噴出される水洗水が、搬送ローラ対５８、６０（ゴムローラ５８Ａ、６０Ａ）の間でＰＳ版１２の上面を洗浄し、スプレーパイプ６２Ｂから噴出される水洗水が、ＰＳ版１２の下面を洗浄するようになっている。
【００６７】
ＰＳ版プロセッサー１０では、スプレーパイプ６２から吐出する水洗水が、直接、ＰＳ版１２及びＰＳ版１２の表面に溜まった水洗水に当たらないように、ゴムローラ５８Ａまたはゴムローラ６０Ｂの周面へ向けて、水洗水を噴出するようにしている。これにより、ＰＳ版プロセッサー１０では、ＰＳ版１２の表面及びＰＳ版１２の表面に溜まった水洗水に当たるときの水洗水の勢いを減衰させ、水洗水がＰＳ版１２の表面に勢い良く当たってしまうことによる発泡を防止するようにしている。
【００６８】
すなわち、図５に示すように、ＰＳ版１２の搬送路の上方側に配置しているスプレーパイプ６２Ａは、搬送ローラ対５８の上方側のゴムローラ５８Ａへ向けて水洗水を噴出するように、スプレーパイプ６２Ａの位置及び吐出孔９８の向きが設定されている。なお、図５では、スプレーパイプ６２Ａを例にしているが、ＰＳ版１２の下面、搬送ローラ対６０のゴムローラ６０Ｂ及びスプレーパイプ６２Ｂに対しても同様の関係を適用することができ、以下では、スプレーパイプ６２Ａを例にスプレーパイプ６２として説明する。
【００６９】
ＰＳ版プロセッサー１０では、ゴムローラ５８Ａの軸心Ｐ０よりもＰＳ版１２の搬送路側のゴムローラ５８Ａの周面の位置である点ＰＸへ向けて水洗水を噴出すようにスプレーパイプ６２の吐出孔９８の向きを設定し、水洗水がゴムローラ５８Ａに当たっても、ＰＳ版１２の表面に落下せずに、上方側などの周囲に飛散してしまうのを防止する。
【００７０】
このために、ＰＳ版プロセッサ１０では、スプレーパイプ６２の中心位置Ｐ１が、ゴムローラ５８Ａの軸心Ｐ０よりもＰＳ版１２の搬送路側となり、かつ、ゴムローラ５８Ａの周面上の点ＰＸよりも、ＰＳ版１２の搬送路から離れた位置となるようにして、スプレーパイプ６２の吐出孔９８が、点ＰＸへ向くようにしている。
【００７１】
すなわち、ゴムローラ５８Ａの外径をＬ、ＰＳ版１２の搬送路に対する点ＰＸの高さをＨ１、ＰＳ版１２の搬送路に対するゴムローラ５８Ａの軸心Ｐ０とスプレーパイプ６２の中心Ｐ１の間の高低さをＨ２、ＰＳ版１２の搬送路に対する中心Ｐ１の高さをＨ３、ＰＳ版１２の搬送方向に対する吐出孔９８の向きを角度θとしたときに、
０°＜θ＜９０°
Ｌ／２＞Ｈ１＞０
（Ｌ／２−Ｈ１）＞Ｈ２≧０
Ｈ１＜Ｈ３
（但し、Ｈ２＋Ｈ３＝Ｌ／２）
とする。
【００７２】
このときに、角度θが大きくなると、水洗水がＰＳ版１２の表面及びＰＳ版１２の表面に溜まった水洗水に当たるために発泡が著しくなる。したがって、角度θとしては、１０°≦θ≦２５°であることが好ましい。
【００７３】
一方、水洗水がＰＳ版１２の表面に達するときの勢いは、スプレーパイプ６２Ａの吐出孔９８から水洗水を噴出するときの勢い（噴出圧）に大きく影響する。スプレーパイプ６２では、軸方向の一端が閉塞され、他端側から水洗水が供給される。このために、吐出孔９８から噴出される水洗水の噴出圧は、スプレーパイプ６２に形成している吐出孔９８の数、吐出孔９８の内径及びスプレーパイプ６２への水洗水の供給量によって変化する。
【００７４】
このとき、スプレーパイプ６２から噴出する水洗水が少なくなると、水洗水がＰＳ版１２の全面に行き渡らなかったり、ＰＳ版１２の表面の確実な洗浄が困難となってしまうことがある。また、吐出孔９８の数が少なくなると、吐出孔９８の間隔が広くなることになり、吐出孔９８の数を少なくした状態で、ＰＳ版１２を確実に洗浄するためには、多量の水を勢い良く吐出してＰＳ版１２の表面に拡散させる必要があり、水洗水の発泡をまねいてしまう。
【００７５】
ここから、ＰＳ版プロセッサー１０では、幅寸法が約８００ｍｍのＰＳ版１２に対して、間隔Ｄを２５ｍｍとして、３９個の吐出孔９８を形成したスプレーパイプ６２を用いている。
【００７６】
また、ＰＳ版プロセッサー１０では、一例として、搬送ローラ対５８、６０のゴムローラ５８Ａ、５８Ｂ、６０Ａ、６０Ｂの外径Ｌを４２．５ｍｍとし、点ＰＸの高さＨ１を１０ｍｍ、高低さＨ２を０ｍｍ（Ｈ３＝Ｌ／２＝２１．２５ｍｍ）としたときに、角度θが、１０°となるように、ゴムローラ５８Ａの軸心Ｐ０とスプレーパイプ６２の中心Ｐ１の搬送方向に沿った間隔である距離Ｌｄを４２．５ｍｍとしている。
【００７７】
また、ＰＳ版プロセッサー１０では、スプレーパイプ６２への水洗水の供給量（流量）を１３．５ｌ（リットル）／ｍｉｎとし、ここから、従来、２．０ｍｍであったスプレーパイプ６２に形成している吐出孔９８の内径ｄを２．６ｍｍ（ｄ＝２．６ｍｍ）としている。
【００７８】
以下に本実施の形態の作用を説明する。
【００７９】
ＰＳ版プロセッサー１０では、図示しない焼付装置等によって画像が記録されたＰＳ版１２が挿入台４０に載置され、挿入口３２へ挿入されと、搬送ローラ対４２によってこのＰＳ版１２を引き入れ、現像部１４へ送り込む。なお、ＰＳ版プロセッサー１０では、挿入口３２を通過するＰＳ版１２を図示しないセンサによって検出するとタイマーをスタートさせる。このタイマーは、ＰＳ版１２を搬送するための駆動手段の動作と共に、水洗部１６のスプレーパイプ６２（６２Ａ、６２Ｂ）から水洗水を吐出させるタイミングや、不感脂化処理部１８におけるガム液の吐出タイミングの計測に用いる。
【００８０】
現像部１４では、搬送ローラ対４２によってＰＳ版１２が水平方向に対して１５°〜３１°の範囲の挿入角度で送りこまれて現像液に浸漬されながら搬送される。また、このＰＳ版１２は、１７°〜３１°の範囲の排出角度で現像液中から送り出される。ＰＳ版１２は、現像部１４で現像液に浸漬されることにより、露光画像に応じて感光層の不要部分が膨潤し、膨潤した感光層が支持体から除去される。このときに、現像槽２４内に配置しているブラシローラ８０によってＰＳ版１２の表面をブラッシングすることにより、ＰＳ版１２の表面からの不要な感光層の除去を促進するようにしている。
【００８１】
なお、ＰＳ版プロセッサー１０としては、複数のブラシローラ８０をＰＳ版１２の表面に対向するように配置してブラッシングするものであっても良く、また、ブラシローラ８０を用いずにＰＳ版１２の処理を行うものであっても良い。
【００８２】
このようにして現像液による処理が行われて現像液中から送り出されたＰＳ版１２は、搬送ローラ対４８によって引き出されて水洗部１６へ送られる。このときに、搬送ローラ対４８は、ＰＳ版１２の表裏面に付着してい現像液を、ＰＳ版１２から絞り落としている。
【００８３】
水洗部１６では、このＰＳ版１２を搬送ローラ対５８、６０によって挟持して略水平状態で搬送しながら、スプレーパイプ６２から水洗水を噴出する。また、ＰＳ版１２の搬送方向の下流側に配置している搬送ローラ対６０は、ＰＳ版１２の表裏面に供給した水洗水を、搬送ローラ対４８によって絞り切れずに残った現像液と共に絞り落としながら、このＰＳ版１２を不感脂化処理部１８へ送り出す。
【００８４】
これにより、ＰＳ版１２は、水洗部１６を通過するときに、表裏面に残っている現像液が洗い落とされる。
【００８５】
不感脂化処理部１８へ送られたＰＳ版１２は、スプレーパイプ６４と吐出ユニット６６の間を通過し、搬送ローラ対５６に挟持されることにより、この搬送ローラ対５６によって不感脂化処理部１８から送り出される。
【００８６】
このとき、不感脂化処理部１８では、スプレーパイプ６４及び吐出ユニット６６にガム液を供給し、ＰＳ版１２の表裏面にガム液を塗布する。搬送ローラ対５６は、ＰＳ版１２を挟持して送り出すことにより、ＰＳ版１２の表裏面にガム液の薄膜を形成すると共に、余剰となったガム液をＰＳ版１２の表裏面から絞り落とす。
【００８７】
ガム液が塗布されたＰＳ版１２は、搬送ローラ対５６によって排出口３４から乾燥部２０へ送り込まれる。なお、排出口３４に設けている図示しないシャッタは、ＰＳ版１２の処理開始のタイミングないしＰＳ版１２が不感脂化処理部１８から送り出されるタイミングで作動して排出口３４を開き、乾燥部２０の乾燥風が不必要に不感脂化処理部１８へ入り込んで、搬送ローラ対５６にガム液が固着してしまうのを防止すると共に、排出口３４から空気が入り込み、現像部１４にまで及んで空気中の炭酸ガスにより現像液が劣化するのを防止したり、現像液中の水分や水洗水さらにガム液中の水分が蒸発して排出口３４から出てしまうのを防止している。
【００８８】
乾燥部２０では、支持ローラ６８及び搬送ローラ対７２、７４によってＰＳ版１２を搬送しながら、ダクト７６Ａ、７６Ｂから乾燥風を吹き付ける。これにより、ＰＳ版１２は、塗布されているガム液によって保護膜が形成されて排出口７０から排出される。
【００８９】
ところで、ＰＳ版プロセッサー１０の水洗部１６では、搬送ローラ対５８、６０によってＰＳ版１２を略水平状態で搬送しながら、搬送ローラ対５８、６０の間に設けているスプレーパイプ６２（６２Ａ、６２Ｂ）から水洗水を噴出して、ＰＳ版１２の表裏面を洗浄する。
【００９０】
水洗部１６に送り込まれるＰＳ版１２の表裏面には、搬送ローラ対４８によって絞りきれなった現像液が付着しており、水洗部１６では、この現像液を水洗水によってＰＳ版１２の表裏面から洗い落とすようにしている。
【００９１】
このために、水洗槽２６内の水洗水中には、現像液成分が溶け込んだ状態となっており、ＰＳ版プロセッサー１０では、所定のタイミングで水洗槽２６内に水洗水を補充することにより、余剰となった水洗水をオーバーフローさせて排出し、水洗水中の現像液成分の濃度が高くなるのを防止している。
【００９２】
一方、現像液中には、界面活性剤が含まれており、この界面活性剤もＰＳ版１２によって水洗部１６に持ち込まれる。このために、水洗槽２６に貯留している水洗水には発泡が生じ易く、また、発泡することにより水洗水に溶け込んでいる現像液成分が空気中の炭酸ガスによって固形化して、カスが生じ易くなっている。
【００９３】
この水洗水中に発生したカスは、水洗水の液面の泡が成長して、ＰＳ版１２の搬送路に達すると、ＰＳ版１２の表裏面に付着してしまう。これにより、このＰＳ版１２を用いて印刷処理を行ったときに、印刷汚れを生じさせてしまう。
【００９４】
ここで、ＰＳ版プロセッサー１０の水洗部１６に設けている水洗槽２６の上部には、水洗水の液面とＰＳ版１２の搬送路との間に遮板９０が取り付けられており、ＰＳ版１２から落下する水洗水は、この遮板９０に受けとめられ、遮板９０の傾斜に沿って流れることにより、水洗槽２６内に回収されるようにしている。
【００９５】
これにより、ＰＳ版プロセッサー１０では、ＰＳ版１２から落下する水洗水が、水洗槽２６内に貯留している水洗水の液面を叩いて発泡してしまうのを防止している。
【００９６】
特に、水洗部１６を通過するＰＳ版１２は、後端が上流側の搬送ローラ対５８から外れたときに、搬送ローラ対５８、６０の間の後端部が垂れ下がる。このときに、スプレーパイプ６２Ａから噴出された水洗水がＰＳ版１２の表面に乗っているために、ＰＳ版１２の自重と水洗水の重さによってＰＳ版１２の後端部が垂れ下がったときに、ＰＳ版１２上の水洗水が一度に落下する。
【００９７】
このときに、遮板９０が設けられていることにより、この水洗水が、水洗槽２６内の水洗水の液面を叩いて泡を発生させてしまうのを確実に防止することが出きる。
【００９８】
このように、ＰＳ版プロセッサー１０では、水洗槽２６内の水洗水の液面と、ＰＳ版１２の搬送路の間に、水洗水の液面を覆うように遮板９０を配置した簡単な構成で、ＰＳ版１２から落下する水洗水に起因する発泡を抑えることができる。
【００９９】
なお、本実施の形態では、不感脂化処理部１８側が低くなるように遮板９０を傾斜させているが、遮板９０の傾斜方向はこれに限るものではなく、現像部１４側が低くなるように傾斜させるなどの任意の構成を適用することができる。
【０１００】
一方、ＰＳ版プロセッサー１０では、スプレーパイプ６２が吐出孔９８を、ゴムローラ５８Ａの周面の所定位置（点ＰＸ）へ向くように取り付けられており、これにより、吐出孔９８から噴出した水洗水が、ＰＳ版１２の表面及びＰＳ版１２ん表面に溜まっている水洗水に直接当たってしまうのを防止し、水洗水がＰＳ版１２の表面及びＰＳ版１２の表面に溜まっている水洗水に当たるときの勢いを減衰させている。
【０１０１】
また、ＰＳ版１２では、予め設定している間隔Ｄ（２５ｍｍ）及び数（３９個）で、スプレーパイプ６２に形成している吐出孔９８の内径ｄを、比較的広い２．６ｍｍとして、スプレーパイプ６２へ１３．５ｌ／ｍｉｎの水洗水を供給して、この吐出孔９８から噴出するようにしている。
【０１０２】
これにより、ＰＳ版プロセッサー１０では、スプレーパイプ６２の吐出孔９８から噴出する水洗水の噴出圧（スプレーパイプ６２内の水圧）を抑え、この水洗水がＰＳ版１２の表面に達したときの勢いが低くなるようにして、搬送ローラ対５８、６０の間で、ＰＳ版１２の表面に供給される水洗水に発泡が生じるのを抑えるようにしている。
【０１０３】
スプレーパイプ６２から供給する水洗水が、ＰＳ版１２の表面で発泡すると、この水洗水の泡が、水洗槽２６内に回収されたときに、消えずに残り、水洗槽２６内の水洗水の液面で成長してしまい、水洗水中にカスを発生させてしまうと共に、このカスをＰＳ版プロセッサー１０で処理されるＰＳ版１２の表面（表裏面）に付着させて、ＰＳ版１２の仕上り品質を低下させてしまう。
【０１０４】
これに対して、ＰＳ版プロセッサー１０では、水洗槽２６内での水洗水の発泡を抑えることができるので、水洗槽２６内の水洗水中にカスを、増加する泡によって上昇させて処理しているＰＳ版１２に付着させてしまうのを抑えることができると共に、ＰＳ版１２の仕上り品質を低下させてしまうのを確実に防止することができる。
【０１０５】
ここで、表１には、スプレーパイプ６２に形成している吐出孔９８の内径ｄを変えたときに、スプレーパイプ６２への水洗水の供給量に対する水洗槽２６内に発生する泡の高さの測定結果を示している。なお、この測定結果は、内径ｄを２．０ｍｍ、２．４ｍｍ、２．６ｍｍの３段階に設定し、それぞれにおいて、水洗水の量を変えながら、８００ｍｍ×１０３０ｍｍのサイズのＰＳ版１２を用い、２００枚のＰＳ版１２を連続処理した後の、水洗槽２６内の泡の高さを示している。また、スプレーパイプ６２の吐出孔９８は、ゴムローラ５８ＡとＰＳ版１２の接触位置近傍に向けている。
【０１０６】
ＰＳ版プロセッサー１０では、水洗槽２６に発生した泡の高さが５０ｍｍを越えなければ、水洗槽２６内の水洗水中にカスが生じても、このカスがＰＳ版１２に付着して仕上り品質を生じさせてしまうことがないことから、泡の高さが５０ｍｍ以下であれば適用可能であると判断することができる。
【０１０７】
【表１】
2004294710.tif 000003
【０１０８】
なお、表１中の※１は、スプレーパイプ６２内での水圧が低下して、吐出孔９８から噴出する水洗水の圧力にばらつきが生じ、適正な測定結果が得られなくなったために測定を中止し、※２は、他の試験結果から予測して、適用し得る結果が得られないと判断して、測定を中止している。
【０１０９】
表１に示すように、水洗水の供給量が同じであれば、吐出孔９８の内径ｄが大きくなることにより、泡の高さは低くなり、吐出孔９８の内径が同じであれば、水洗水の供給量が低くなることにより、泡の高さは低くなる。
【０１１０】
また、ＰＳ版プロセッサー１０では、吐出孔９８の内径ｄを２．４ｍｍとして、水洗水の供給量を１２．０ｌ／ｍｉｎにするか、吐出孔９８の内径ｄを２．６ｍｍとして、水洗水の供給量を１３．５ｌ／ｍｉｎ又は１３．０ｌ／ｍｉｎ（１３．５ｌ／ｍｉｎ〜１３．０ｌ／ｍｉｎ）にすることにより、水洗槽２６内の水洗水中に発生するカスがＰＳ版１２の仕上り品質を損ねることなく、ＰＳ版１２の処理を行うことができる。すなわち、ＰＳ版１２の高品質の処理が可能となる。
【０１１１】
一方、表２には、角度θを変更したときの泡の高さの測定結果を示している。この試験は、水洗水の供給量を１３．５ｌ／ｍｉｎと１４．５ｌ／ｍｉｎとして、角度θを、１０°〜２５°の範囲と、３５°にして測定している。
【０１１２】
【表２】
2004294710.tif 000004
【０１１３】
表２に示すように、角度θが大きい３５°であるときには、水洗水がＰＳ版１２の版面及びこの版面上の処理液（水洗水）に、スプレーパイプ６２から噴出する水洗水が当たって、泡の高さが大きくなるのに対して、角度θを小さくして１０°〜２５°の範囲にすることにより、スプレーパイプ６２から噴出する水洗水は、ゴムローラ５８Ａの周面に当たることで、泡の高さを極めて低く抑えることはできる。
【０１１４】
したがって、表１及び表２から、水洗水の供給量、吐出孔９８の向き（角度θ）に応じて設定した内径ｄの吐出孔９８を形成したスプレーパイプ６２を用いることにより、ＰＳ版１２を高品質で処理することができるＰＳ版プロセッサー１０が得られる。
【０１１５】
このときに、角度θは、小さいことが好ましいが、１０°≦θ≦２５°であることがより好ましい。
【０１１６】
一方、スプレーパイプ６２に供給する水洗水の量とスプレーパイプ６２に形成している吐出孔９８の径ｄによって、吐出孔９８から噴出される水洗水の噴出速度、すなわち、水洗水がゴムローラ５８Ａに衝突する速度が異なる。
【０１１７】
ここから表３には、スプレーパイプ６２に形成している吐出孔９８から噴出する洗浄水の角度θを、１０°〜２５°の範囲（例えば１０°）として、水洗槽２６内での水洗水の発泡を抑えた状態での水洗水の噴出速度を示している。
【０１１８】
【表３】
2004294710.tif 000005
【０１１９】
なお、表３中の※３は、スプレーパイプ６２内での水圧が低下して、吐出孔９８から噴出する水洗水の圧力にばらつきが生じ、適正な測定結果が得られなくなったために測定を中止し、※４は、他の試験結果から予測して、適用し得る結果が得られないと判断して、測定を中止している。
【０１２０】
また、※５では、水洗槽２６内の水洗水に発泡が生じ、このときの泡の高さが、ＰＳ版プロセッサー１０で許容される５０ｍｍを越えており、これ以外においては、泡の高さが５０ｍｍ以下に納まっている。
【０１２１】
この表３に示すように、水洗水をゴムローラ５８Ａへ向けて噴出することにより水洗水の発泡を抑えたとき、スプレーパイプ６２の吐出孔９８から噴出される水洗水の噴出速度は、水洗水の供給量が１３．０ｌ／ｍｉｎで吐出孔９８の径ｄが２．６ｍｍのときに１０４６ｍｍ／ｓｅｃであり、水洗水の供給量が１４．５ｌ／ｍｉｎで吐出孔９８の径ｄが２．０ｍｍのときに１９７３ｍｍ／ｓｅｃとなっている。
【０１２２】
ここから、角度θが１０°〜２５°の範囲で、スプレーパイプ６２の各吐出孔９８からゴムローラ５８Ａの周面へ向けて噴出される水洗水の噴出速度が、約１０００ｍｍ／ｓｅｃ以上、約２０００ｍｍ／ｓｅｃ以下（好ましくは、１０４６ｍｍ／ｓｅｃ以上、１９７３ｍｍ／ｓｅｃ以下）であれば、水洗槽２６内で水洗水の泡が成長して、ＰＳ版１２の仕上り品質に影響を生じさせてしまうのを防止することができる。
【０１２３】
なお、本実施の形態は、本発明の一例を示すものであり、本発明の構成を限定するものではない。例えば、スプレーパイプ６２からの洗浄水の吹き付け位置である点ＰＸは、本実施例に限らず、ゴムローラ５８Ａの軸心Ｐ０よりもＰＳ版１２の搬送路側の位置で、スプレーパイプ６２から噴出した水洗水が、ＰＳ版１２に直接当たらない位置であれば任意の位置に設定することができる。
【０１２４】
また、ゴムローラ５８Ａと、スプレーパイプ６２の相対位置は、ゴムローラ５８Ａの軸心Ｐ０よりもスプレーパイプ６２の中心Ｐ１が搬送路と反対側であても、スプレーパイプ６２からの洗浄水のゴムローラ５８Ａへの吹き付け位置である点ＰＸが、ゴムローラ５８Ａの軸心Ｐ０よりもＰＳ版１２の搬送路側の位置であれば良い。
【０１２５】
また、本実施の形態では、ＰＳ版プロセッサー１０を例に説明したが、本発明が適用される感光材料処理装置の構成は、これに限定するものではなく、ローラ対によって挟持ながら液外を搬送するＰＳ版１２の表裏面に、スプレーパイプから水洗水等の処理液を噴出する工程を備えたＰＳ版プロセッサー等の任意の構成の感光材料処理装置に適用することができる。
【０１２６】
【発明の効果】
以上説明したように本発明によれば、スプレーパイプの吐出孔をローラの周面へ向けて配置することにより、スプレーパイプから噴出した処理液が感光材料の表面に直接当たるのを防止して、処理液の発泡を抑えることができる。
【０１２７】
これにより、例えば、平版印刷版を水洗処理する水洗槽中の水洗水に持ち込まれた現像液成分によって発生したカスが、液面で成長した泡によって感光性平版印刷版の表面に付着し、平版印刷版の仕上りを損ねてしまうのを確実に防止することができるという優れた効果が得られる。
【図面の簡単な説明】
【図１】本実施の形態に適用したＰＳ版プロセッサーの概略構成図である。
【図２】ＰＳ版プロセッサーに設けた水洗部の概略構成図である。
【図３】水洗槽に設けた遮板を示す水洗部の要部の概略斜視図である。
【図４】搬送ローラ対とスプレーパイプの配置を示す水洗部の要部の概略斜視図である。
【図５】搬送ローラ対を形成するゴムローラとスプレーパイプの配置を示す概略図である。
【符号の説明】
１０    ＰＳ版プロセッサー（感光材料処理装置）
１２    ＰＳ版（感光材料）
１６    水洗部（処理工程）
２６    水洗槽（処理槽）
５８、６０    搬送ローラ対
５８Ａ、５８Ｂ、６０Ａ、６０Ｂ    ゴムローラ（ローラ）
６２（６２Ａ、６２Ｂ）    スプレーパイプ
９０    遮板
９８    吐出孔
【図１】
2004294710.tif 000006
【図２】
2004294710.tif 000007
【図３】
2004294710.tif 000008
【図４】
2004294710.tif 000009
【図５】
2004294710.tif 000010